(57)【要約】【課題】簡単な構成で、洗濯機内部への貫通孔からの水の浸入を抑制しえる洗濯機を提供することを目的とする。【解決手段】本体部１と、本体部１内に配設される水槽と、水槽内の洗濯水から糸くず等を除去するフィルター２を着脱自在に備えたフィルター装置６と、フィルター装置６からの洗濯水を排水する排水ホース７と、フィルター装置からの洗濯水を排水ホース７を介して揚水する排水ポンプ８と、フィルター装置６内の洗濯水を水抜きする水抜きホース３とを備え、水抜きホース３は、フィルター装置６の前面板６１に形成した貫通孔６２を介して延設され、貫通孔６２周縁と水抜きホース３との隙間を埋める保持板１０を装着するものである。【選択図】図２
2017158906.tif 000002
【特許請求の範囲】
【請求項１】
本体部と、前記本体部内に配設される水槽と、前記水槽内の洗濯水から糸くず等を除去するフィルターを着脱自在に備えたフィルター装置と、前記フィルター装置からの洗濯水を排水する排水ホースと、前記フィルター装置からの洗濯水を前記排水ホースを介して揚水する排水ポンプと、前記フィルター装置内の洗濯水を水抜きする水抜きホースとを備え、前記水抜きホースは、前記フィルター装置の前面板に形成した貫通孔を介して延設され、前記貫通孔周縁と前記水抜きホースとの隙間を埋める保持板を設けることを特徴とする洗濯機。
【請求項２】
保持板が水抜きホースを貫通孔の中央に保持することを特徴とする請求項１記載の洗濯機。
【請求項３】
水抜きホース先端に止水キャップを装着し、止水キャップにフックを形成し、本体部にフックを係止する係止部を形成した請求項１または２に記載の洗濯機。
【発明の詳細な説明】
【技術分野】
【０００１】
本発明は、床面よりも高い位置に排水する排水ホースを備えた洗濯機に関するものである。
【背景技術】
【０００２】
近年、排水ポンプにより排水ホースを介して洗面台などの床面よりも高い位置に排水する洗濯機が開発されている。
【０００３】
洗濯機の本体部の背面に排水ホースを有し、排水ホースを所望の位置に配設することにより本体部の上面よりも高い位置に排水できる構造が提案されている（例えば、特許文献１参照）。
【０００４】
従来の洗濯機は、水槽に連結した排水経路にフィルター装置を配設し、フィルター装置の下流に配設した排水ポンプの揚力により水槽内の洗濯水を洗濯機本体よりも高い位置に排水する構成となっている。
【０００５】
洗濯運転に伴ってフィルター装置に排水中の糸くず等の異物が収集されるため、フィルター装置のフィルターを取り外してフィルターから異物を除去する作業が必要となる。ところが、排水ホースの端部が高い位置に配設されているため、排水ポンプが停止すると、排水ホース内の排水が逆流し、フィルター装置が排水に浸かった状態となる。この状態でフィルター装置からフィルターを取り外すと、フィルター装置から排水が溢れ出ることになる。
【０００６】
このような不具合を解決するために、フィルター装置内の排水を抜くことができるように水抜きホースが設けられる。水抜きホースは、本体部の前面に形成した貫通孔を介して引き出される。
【先行技術文献】
【特許文献】
【０００７】
【特許文献１】特開２０１０−３５７４８号公報
【発明の概要】
【発明が解決しようとする課題】
【０００８】
しかしながら、従来の構成では、水抜きホースは、本体部の前面に形成した貫通孔を介して本体部の前面側へ引き出されるが、貫通孔と水抜きホースとの間に隙間があるため、水抜きホース周囲の隙間から本体部の内部に水が浸入する虞があった。
【０００９】
本発明は、上記従来の課題を解決するもので、簡単な構成で、洗濯機内部への貫通孔からの水の浸入を抑制しえる洗濯機を提供することを目的とする。
【課題を解決するための手段】
【００１０】
本発明の洗濯機は、本体部と、前記本体部内に配設される水槽と、前記水槽内の洗濯水から糸くず等を除去するフィルターを着脱自在に備えたフィルター装置と、フィルター装置からの洗濯水を排水する排水ホースと、フィルター装置からの洗濯水を前記排水ホースを介して揚水する排水ポンプと、フィルター装置内の洗濯水を水抜きする水抜きホースとを備え、前記水抜きホースは、フィルター装置の前面板に形成した貫通孔を介して延設され、前記貫通孔周縁と前記水抜きホースとの隙間を埋める保持板を設けるものである。
【００１１】
この構成によれば、水抜きホースとフィルター装置の前面板に形成した貫通孔との隙間を保持板によって埋めることができ、水抜きホース周囲の隙間からの水の浸入を抑制することができる。
【発明の効果】
【００１２】
本発明によれば、水抜きホース周囲の隙間からの水の浸入を抑制することができる。
【図面の簡単な説明】
【００１３】
【図１】本発明の実施の形態におけるドラム式洗濯機の概略斜視図
【図２】同フィルター装置の斜視図
【図３】同フィルター装置の斜視図
【図４】同フィルター装置の断面図
【発明を実施するための形態】
【００１４】
第１の発明は、本体部と、前記本体部内に配設される水槽と、前記水槽内の洗濯水から糸くず等を除去するフィルターを着脱自在に備えたフィルター装置と、前記フィルター装置からの洗濯水を排水する排水ホースと、前記フィルター装置からの洗濯水を前記排水ホースを介して揚水する排水ポンプと、前記フィルター装置内の洗濯水を水抜きする水抜きホースとを備え、前記水抜きホースは、前記フィルター装置の前面板に形成した貫通孔を介して延設され、前記貫通孔周縁と前記水抜きホースとの隙間を埋める保持板を設けるものである。
【００１５】
この構成によれば、水抜きホースとフィルター装置の前面板に形成した貫通孔との隙間を保持板によって埋めることができる。
【００１６】
第２の発明は、特に、第１の発明の保持板が水抜きホースを貫通孔の中央に保持するものである。
【００１７】
これにより、フィルター装置を本体部に組み込む際、水抜きホースが保持板により保持され、本体部への組立作業性を向上できる。
【００１８】
第３の発明は、特に、第１または第２の発明の水抜きホース先端に止水キャップを装着し、止水キャップにフックを形成し、本体部にフックを係止する係止部を形成するものである。
【００１９】
これにより、水抜きホース先端を本体部に保持することができる。
【００２０】
以下、本発明の実施の形態について、図面を参照しながら説明する。なお、この実施の形態によって本発明が限定されるものではない。
【００２１】
図１は、本発明の実施の形態におけるドラム式洗濯機の外観を示す概略斜視図である。図２は、本発明の実施の形態におけるフィルター装置の斜視図である。図３は、本発明の実施の形態におけるフィルター装置の斜視図である。
【００２２】
図１に示すように、本実施形態のドラム式洗濯機は、本体部１は、略箱状に形成され、後方下部から排水ホース７が延設され、排水ホース７は、任意の位置に排水するように設置される。
【００２３】
本体部１内の下部には、フィルター装置６が装着されている。フィルター装置６には、
洗濯水に含まれる糸くず等を除去するフィルター２が収納されており、フィルター２は、本体部１の前面パネル４に形成した引き出し口４３から着脱自在に装着される。
【００２４】
図２および図３に示すように、フィルター装置６には、洗濯水を排水する排水ポンプ８が装着され、フィルター装置６内の洗濯水を排水する水抜きホース３を備えている。水抜きホース３は、フィルター装置６の前面板６１に形成された貫通孔６２を介して前面板６１の前方に延設され、貫通孔６２には、水抜きホース３を保持する保持板１０を装着して貫通孔６２を閉塞している。保持板１０は、周縁に形成した環状溝（図示せず）に貫通孔６２周縁を嵌合させることにより装着される。
【００２５】
水抜きホース３は、保持板１０により貫通孔６２の略中央部に保持される。フィルター装置６を本体部１へ組み立てる際に、保持板１０を取り付けた状態で、水抜きホース３が保持板１０により前方に向かって延設した状態に保持されるため、水抜きホース３を本体部１の前面パネル４に形成した開口部４１に容易に挿入することができ、組立作業を容易にする。保持板１０を本体部１に装着した状態では、保持板１０は、本体部１の前面パネル４前面より前方に飛び出し、貫通孔６２および本体部１の開口部４１の端面を保護することができる。
【００２６】
水抜きホース３の先端には、止水キャップ５を嵌合しており、止水キャップ５により水抜きホース３を止水している。止水キャップ５は、ホースバンド９により水抜きホース３に保持されており、使用者はホースバンド９をずらし、止水キャップ５を水抜きホース３から抜くことで水抜きホース３からフィルター装置６内の水を排水する。止水キャップ５には、フック５１が形成されており、フック５１を前面パネル４に設けられた係止孔４４に係合して水抜きホース３を係止する。
【００２７】
フィルター装置６及び水抜きホース３は、開閉可能な蓋体により覆われるが、図１および図２においては、蓋体は省略している。
【００２８】
水抜きホース３と貫通孔６２周縁との隙間、および水抜きホース３と前面パネル４の開口部４１周縁との隙間を保持板１０によって埋めるので、水抜きホース３周囲の隙間から本体部１内部への水等の異物の浸入を防止することができる。
【００２９】
本発明の実施形態では、保持板１０を貫通孔６２に嵌合させることで、外部からの水侵入を防ぐことができる。また、保持板１０により本体部１の前面側から手もしくは指で貫通孔６２や開口部４１に触れることができないため、安全性を向上することができる。
【００３０】
なお、本実施の形態は、ドラム式洗濯機に基づいて説明したが、縦型洗濯機に用いてもよい。
【産業上の利用可能性】
【００３１】
本発明に係る洗濯機は、高所への排水を実現するため排水ポンプを搭載した場合でも、水抜きホースの突出部に隙間を設けなくてすむという効果を有する。
【符号の説明】
【００３２】
１  本体部
２  フィルター
３  水抜きホース
４  前面パネル
４１  開口部
４３  引き出し口
４４  係止孔
５  止水キャップ
５１  フック
６  フィルター装置
６１  前面板
６２  貫通孔
７  排水ホース
８  排水ポンプ
９  ホースバンド
１０  保持板
【図１】
2017158906.tif 000003
【図２】
2017158906.tif 000004
【図３】
2017158906.tif 000005
【図４】
2017158906.tif 000006